(57)【要約】【課題】ラップ箱体構造の提供。【解決手段】本考案は一種のラップ箱体構造に関わるもので、主に一端は長い孔を備える筐体を有し、長い孔の端面に２本の押さえ片を設け、筐体内側の両端に切込みをそれぞれに設け、筐体の底面に環状溝を設ける。筐体の他端に移動可能な上蓋を設け、上蓋は長い孔両端に対応して圧板を設ける。環状溝で移動する台を設け、台と環状溝との間に弾性部材と係止め部を設ける。台の一端はさらに、長い孔に対応したカッターを設け、台の両端は切込みに対応する位置固定溝を設ける。二つの軸台を位置固定溝内部にそれぞれ設ける。これにより、ラップローラーを軸台に挿入しておく、ラップを筐体と上蓋に設ける押さえ片と圧板の間につまみ出した後、台を押して、カッターを浮き上げて、ラップの使用と裁断の容易さを実現する。【選択図】図１
0003122109.tif 000002
【実用新案登録請求の範囲】
【請求項１】
筐体、上蓋、台及び二つの軸台を含み、筐体の一端に長い孔を設け、長い孔の端面は長い孔に対応して２本の押さえ片を設け、筐体内側の両端にそれぞれ切込みを設け、筐体の底面に環状溝を設けて、筐体の他端に一つ以上の回転軸部を設け、
上蓋は前記の筐体の他端に移動できるように設け、上蓋一端の底部は筐体の長い孔の両側に対応する圧板を設け、上蓋の一端はさらに、筐体の回転軸部と接合するスリーブを設け、
台は前記の筐体の環状溝内部に設けて、台の端面と環状溝との間に弾性部材と係り止め部を設け、台の一端は筐体の長い孔に対応するカッター固定台を備えて、カッター固定台にカッターを設け、台の両端に筐体の切り込みに対応する位置固定溝を設け、台の端面に弾性部材を挿入する突起棒を設け、
軸台は前記の台の位置固定溝に設けることを特徴とするラップ箱体構造。
【請求項２】
筐体の外側に噛み合わせ単元を設け、噛み合わせ単元はツマミと噛み合わせ片より構成する構造であることを特徴とする請求項１記載のラップ箱体構造。
【請求項３】
筐体の一端が押さえ片の付近場所に仕切板を設け、仕切板の両端にそれぞれ対応する制限部を設ける構造であることを特徴とする請求項１記載のラップ箱体構造。
【請求項４】
上蓋底部の圧板一端の付近場所に突起塊を設ける構造であることを特徴とする請求項１記載のラップ箱体構造。
【請求項５】
筐体と上蓋との間に一つ以上の弾性部材を設ける構造であることを特徴とする請求項１記載のラップ箱体構造。
【考案の詳細な説明】
【技術分野】
【０００１】
本考案は一種のラップ箱体構造、特にラップローラーを軸台に挿入し、ラップを筐体と上蓋に設ける押さえ片と圧板の間につまみ出した後、台を押して、カッターを浮き上げて、ラップの使用と裁断の容易さを実現する。
【背景技術】
【０００２】
公知技術のラップ箱体は紙製の箱体である。その箱体にラップ収容の収容区域を設け、収容区域の一端にカッター体を設けて、ラップを収容区域からつまみ出して、カッター体を押さえながら、箱体を回してラップを裁断し、ラップ使用の効果を実現する。
【０００３】
前記の公知技術のラップ箱体に収容するラップは、収容区域から容易につまみ出して、カッター体で裁断することを実現している。しかしながら、箱体は紙製のため、利用者が箱体に押さえながら回すとき、箱体構造の強度限界により、紙製箱体は押さえ力量を受けて変形を引き起すほか、湿気による軟化など、利用者は箱体を押さえや回転することができないため、ラップの裁断が難しい。さらに、ラップ箱体を回して裁断するとき、力量を一定の角度に加えないと、うまく裁断できない。また、箱体を一定角度に回さないと、ラップは切られないまま一カ所に絡ませて、不便と浪費を生じる。
【考案の開示】
【考案が解決しようとする課題】
【０００４】
本考案は前記の欠点を解決することを主な目的とする。主にラップローラーの両端に軸台を挿入しておく、ラップを筐体と上蓋に設ける押さえ片と圧板の間につまみ出した後、外力によりカッターを浮き上げて、ラップの使用と裁断の容易さを実現する。
【０００５】
本考案は前記の目的を実現するため、主に一端に長い孔を設ける筐体を有し、長い孔の端面に２本の押さえ片を設け、筐体内側の両端にそれぞれ切込みを設け、筐体の底面に環状溝を設ける。筐体の他端に移動可能上蓋を設け、上蓋に長い孔両端に対応して圧板を設ける。環状溝で移動する台を設け、台と環状溝との間に弾性部材と係止め部を設ける。台の一端はさらに長い孔に対応したカッターを設け、台の両端は切込みに対応する位置固定溝を設ける。二つの軸台を位置固定溝内部にそれぞれ設ける一種のラップ箱体構造に関わる。
【課題を解決するための手段】
【０００６】
請求項１の考案は、筐体、上蓋、台及び二つの軸台を含み、筐体の一端に長い孔を設け、長い孔の端面は長い孔に対応して２本の押さえ片を設け、筐体内側の両端にそれぞれ切込みを設け、筐体の底面に環状溝を設けて、筐体の他端に一つ以上の回転軸部を設け、
上蓋は前記の筐体の他端に移動できるように設け、上蓋一端の底部は筐体の長い孔の両側に対応する圧板を設け、上蓋の一端はさらに、筐体の回転軸部と接合するスリーブを設け、
台は前記の筐体の環状溝内部に設けて、台の端面と環状溝との間に弾性部材と係り止め部を設け、台の一端は筐体の長い孔に対応するカッター固定台を備えて、カッター固定台にカッターを設け、台の両端に筐体の切り込みに対応する位置固定溝を設け、台の端面に弾性部材を挿入する突起棒を設け、
軸台は前記の台の位置固定溝に設けることを特徴とするラップ箱体構造としている。
請求項２の考案は、筐体の外側に噛み合わせ単元を設け、噛み合わせ単元はツマミと噛み合わせ片より構成する構造であることを特徴とする請求項１記載のラップ箱体構造としている。
請求項３の考案は、筐体の一端が押さえ片の付近場所に仕切板を設け、仕切板の両端にそれぞれ対応する制限部を設ける構造であることを特徴とする請求項１記載のラップ箱体構造としている。
請求項４の考案は、上蓋底部の圧板一端の付近場所に突起塊を設ける構造であることを特徴とする請求項１記載のラップ箱体構造としている。
請求項５の考案は、筐体と上蓋との間に一つ以上の弾性部材を設ける構造であることを特徴とする請求項１記載のラップ箱体構造としている。
【考案の効果】
【０００７】
本考案のラップ箱体構造は、公知技術の欠点を改善し、ラップローラーの両端を軸台に取り付けて、ラップを筐体と上蓋の押さえ片と圧板の間に摘み出した上、外力を加えて、カッターを浮き上げさせて、ラップ５の使用と裁断の容易さを実現する。本考案の実施により、より進歩性、実用的、利用者の需要に満足できる。
【考案を実施するための最良の形態】
【０００８】
図１、２、３に示すものは、それぞれ本考案の立体外観表示図、立体分解表示図、および本考案もう一つの立面分解表示図である。図に示す通り、本考案の一種のラップ箱体構造は筐体１、上蓋２、台３および二つの軸台４より構成する。ラップローラーを軸台４に挿入し、ラップを筐体１と上蓋２との間につまみ出して、外力により台３を押して、カッター体３３を浮き上げて、ラップ５の使用と裁断の容易さを実現する。
【０００９】
前記の筐体１の一端に長い孔１１を設け、長い孔１１の端面に対応して、２枚の押さえ片１２を設け、押さえ片１２付近の内面に仕切り板１３を設ける。仕切り板１３の両端に対応して、それぞれに制限部１４を設ける。筐体１の他端は一つ以上の回転軸部１５を設ける。筐体１内側の両端にそれぞれ切込み１６を設け、筐体１底面の周りに環状溝１７を設ける。筐体１の外側に噛み合わせ単元１８を設け、噛み合わせ単元１８はツマミ１８１と噛み合わせ片１８２より構成する。
【００１０】
上蓋２に筐体１の回転軸部１５に移動するスリーブ２１を設け、筐体１の回転軸部１５と上蓋２のスリーブ２１との間に、弾性部材２２を設ける。上蓋２一端の底部に筐体１の長い孔１１両端に対応して圧板２３を設け、上蓋２底部の圧板２３一端の端面付近場所に噛み合わせ単元１８の噛み合わせ片１８２が対応して噛み合わせる突起塊２４を設ける。
【００１１】
台３は前記の筐体１の環状溝１７で移動できるように設け、台３の端面は弾性部材３１１の挿入に備える突起棒３１を設ける。台３の端面はさらに、台３と筐体１の環状溝１７の抜け出しを制限する係り止め部３２を設け、台３の一端はカッター３３を設置するカッター固定台３４を設けて、カッター３３と筐体１の長い孔１１に対応させた上、台３の両端に筐体１の切り込み１６に対応する位置固定溝３５を設ける。
【００１２】
軸台４は前記の台３の位置固定溝３５に取り付ける。前記の構造により、新規性を有するラップ箱体構造を実現する。
【００１３】
図４および図５に示すものは、本考案の使用態様表示図と本考案の使用態様における、もう一つの断面表示図である。図示のとおり、本考案は組み立てした後に輸送するとき、ラップ５ローラー５１の両端を軸台４にそれぞれ挿入し、この二つの軸台４を台３の位置固定溝３５にそれぞれ設けて、ラップ５を摘み出して、ラップ５を仕切板１３上方から制限部１４を通し、２枚の押さえ片１２の端面から摘み出して、長い孔１１に合わせた上、上蓋２を閉め、両側の対応の圧板２３を２枚の押さえ片１２の間に置く、使用するときは、ラップ５を適切な長さに摘み出して、上蓋２と台３に外力を加えて、上蓋２の圧板２３により、ラップ５を押さえて、２枚の押さえ片１２の間に制限し、台３を筐体１に設ける環状溝１７から上方へ移動し、カッター固定台３４のカッター３３は、筐体１の２枚の押さえ片１２間に設ける長い孔１１から押し出て、上蓋２の２枚の圧板２３の間に延ばしてからラップ５を裁断して、利用させる。その後、上蓋２と台３を開けることにより、台３は突起棒３１に設ける弾性部材３１１は戻り力量を発生し、台３は筐体１の環状溝１７内部に下方へ移動させ、カッター固定台３４のカッター３３を同時に下方の長い孔１１に移動し、台３の係り止め部３２により、筐体１の環状溝１７の抜け出しを防止し、ラップの使用と裁断の容易さを実現する。
【００１４】
使用しないときは、噛み合わせ単元１８のツマミ１８１を回して、ツマミ１８１は噛み合わせ片１８２を駆動して、上蓋２底部の突起塊２４に噛み合わせて、上蓋２を閉鎖状態にし、子供の不注意で、カッター３３にけがされることを防止する。
【００１５】
以上に説明したとおり、本考案のラップ箱体構造は、公知技術の欠点を改善し、ラップローラーの両端を軸台に取り付けて、ラップを筐体と上蓋の押さえ片と圧板の間に摘み出した上、外力を加えて、カッターを浮き上げさせて、ラップ５の使用と裁断の容易さを実現する。本考案の実施により、より進歩性、実用的、利用者の需要に満足できる。
【図面の簡単な説明】
【００１６】
【図１】本考案の立体外観表示図である。
【図２】本考案の立体分解表示図である。
【図３】本考案もう一つの角度の立体分解表示図である。
【図４】本考案の使用態様断面表示図である。
【図５】本考案の使用態様のさらに一つの断面表示図である。
【符号の説明】
【００１７】
１  筐体
１１  長い孔
１２  押さえ片
１３  仕切り板
１４  制限部
１５  回転軸部
１６  切込み
１７  環状溝
１８  噛み合わせ単元
１８１  ツマミ
１８２  噛み合わせ片
２  上蓋
２１  スリーブ
２２  弾性部材
２３  圧板
２４  突起塊
３  台
３１  突起棒
３１１  弾性部材
３２  係止め部
３３  カッター
３４  固定台
３５  位置固定溝
４  軸台
５  ラップ
５１  ローラー
【図１】
0003122109.tif 000003
【図２】
0003122109.tif 000004
【図３】
0003122109.tif 000005
【図４】
0003122109.tif 000006
【図５】
0003122109.tif 000007